(57)【要約】【課題】  介護施設にトレーニングマシンを設置し、被介護者が施設に入所してから出所までの時間並びにトレーニングマシンを使用した場合にはその経歴に基づいて介護保険の請求を可能とした介護トレーニングシステムの提供。【解決手段】  この介護施設にはトレーニングマシン４，４・・・を設け、そして別な場所に設けた中央センターのホストサーバー１と通信手段介して接続され、被介護者の入所から出所までの経歴を管理すると共に介護保険の請求を簡単にしかも効率よく行なうことが出来る介護トレーニングシステムである。【選択図】    図１
2012105906.tif 000002
【特許請求の範囲】
【請求項１】
各種トレーニングマシンを設置した介護施設、フットネスクラブ、スポーツクラブ、病院などの各施設には、パソコンを備えた管理室、パソコンを備えたチェックカウンター、そしてコンピュータを備えたトレーニングマシンを設け、上記管理室のパソコンには一般的な業務となる施設利用者の氏名、住所など利用者が特定できるデータ並びに指静脈などの生体を記録する生体認証装置を有し、チェックカウンターのパソコンは指をタッチすることで入所者を確認することが出来るように記録してある生体と整合する為の生体認証装置を設け、そしてトレーニングマシンにも指を触れることで本人の確認が可能な生体認証装置を備え、一方、各施設の管理室パソコン、チェックカウンターのパソコン、及びトレーニングマシンのコンピュータは別な場所に設置した中央センターのホストサーバーと通信手段を介して接続して各種情報をホストサーバーに記録し、また中央センター若しくはその他の場所にはメンテナンスサーバーが設けられて、各施設の管理室パソコン、チェックカウンターのパソコン、並びに各トレーニングマシンのコンピュータと通信手段を介して接続し、該メンテナンスサーバーにて各施設のプログラムの更新、プログラムのメンテナンス、トラブルやエラーの履歴の確認、トラブルからの復帰、さらには各施設のパソコンの起動、停止などが行ない得るようにし、被介護者が施設に入所してから出所までの時間、並びに上記トレーニングマシンを使用した場合にはその経歴、さらにはその他の介護を受けた場合の経歴をホストサーバーにて管理したことを特徴とする介護トレーニングシステム。
【請求項２】
上記中央センターに介護請求用サーバーを設け、各施設には介護請求用パソコンを設けて通信手段を介して接続し、被介護者が施設に入所してから出所までの経歴に基づいて介護保険の請求を可能とした請求項１記載の介護トレーニングシステム。
【発明の詳細な説明】
【技術分野】
【０００１】
本発明は、介護施設、フットネスクラブ、スポーツクラブ、ジムや病院などで運動をするエクセサイザが利用するトレーニングシステムに関するものである。
【背景技術】
【０００２】
近年フィットネスクラブは所々に設置され、フィットネスクラブには各種のトレーニングマシンが置かれている。トレーニングマシンを使用する場合、使用者（エクセサイザ）の体型やトレーニングレベルに合わせてトレーニングマシンを調節する必要がある。例えばエクセサイザの体格に合わせた椅子の位置やウエイトの重さを使用前に夫々トレーナが設定する。
【０００３】
一般にエクセサイザはトレーナの指導にしたがって運動を行い、ウエイトスタックマシンやフリーウエイトの道具を用いて腕や脚などを動かして筋を鍛えると共に筋を太くすることが出来る。又は使用者の体形を細くするなどして健康維持を行うとともに、一般的な体力づくりが行なわれる。一方、老人や身体障害者も運動を行うとともに、成人病のリハビリテーションを行なうことが出来る。そして、トレーニングのスケジュールはエクセサイザがスケジュール表に基づいてトレーニングを行うように管理されている。
【０００４】
ところで、エクセサイザを指導するトレーナは、各エクセサイザ毎のトレーニング経過などを記録紙に筆記して記録しておき、エクセサイザがフィットネスクラブを訪れたときに、その記録紙の内容を見てトレーニングマシンの椅子の高さを調整し、またエクセサイザの腕によって変位するレバーの長さなどを調整する。このような作業は、トレーナにとって面倒な作業である。
【０００５】
トレーナがトレーニングマシンの調整を行った後、エクセサイザの指導を行う為にトレーナは指導の為にのみ時間を費やすことができず、特にエクセサイザが多数人いるときには大きな問題になる。しかし、トレーニングマシンの調整作業を行わずにエクセサイザがトレーニングを行う場合、該トレーニングマシンの椅子やレバーなどが、エクセサイザの体型に合わなくなり、腕及び脚などの関節のケガが多くなるという問題があるとともに、その運動の効果が上らず、鍛えようとしている筋に負荷が適切に作用せず、トレーニングの効果が不充分になってしまう。
【０００６】
特開平１０−２１６２６８号に係る「トレーニングシステム」は、トレーニングマシンを使用するエクセサイザに効率よく負荷を作用し、エクセサイザを指導するトレーナの負担を軽減するようにしたものである。
すなわち、 識別カードを、フィットネスクラブの受付などで第１読取り手段によって読取らせることによって、メモリにストアされた各エクセサイザ毎に関するデータが読出され、表示手段によってトレーニングを行うべきトレーニングマシンの識別番号が指示される。エクセサイザは指示されたトレーニングマシンの近傍で、識別カードを第２読取り手段によって読取らせ、第２制御手段はトレーニングマシンの負荷を、そのエクセサイザに最適な値に設定する。第１センサによってエクセサイザの血圧を測定し、また第２センサによって負荷を測定し、前記メモリにストアしておくことによって、次回のトレーニングメニューの作成を行う資料となる。
【０００７】
ところで、上記特開平１０−２１６２６８号に係る「トレーニングシステム」は識別カードを必要とするなど煩雑であり、システム全体のコストは非常に高くなる。そして、各エクセサイザ毎に関する各種データを基にしてトレーニングすることは理想であるが現実的ではない。また、上記の他にも色々なトレーニングシステムがいられている。特開２００８−３０７３２１号に係る「トレーニングシステム」もその１つである。
【特許文献１】特開平１０−２１６２６８号に係る「トレーニングシステム」
【特許文献２】特開２００８−３０７３２１号に係る「トレーニングシステム」
【発明の開示】
【発明が解決しようとする課題】
【０００８】
このように、従来から色々なトレーニングシステム、及びトレーニングマシンが知られている。本発明に係るトレーニングシステムは主として被介護者を対象とし、所々に設けた多数の介護トレーニング施設などを一括して管理すると共に、しかも被介護者などが施設に入所した時間及び出所した時間、及びトレーニングマシンを使用した時間などを管理することが出来、また介護保険の請求を一括して行なうことが出来る介護トレーニングシステムを提供する。
【課題を解決するための手段】
【０００９】
本発明に係るトレーニングシステムは、各種トレーニングマシンを施設内に設置し、該施設内にはトレーニングマシンの他に管理用パソコンを設け、またチェックインカウンターを設けている。施設を訪れた被介護者やエクセサイザはチェックインカウンターでチェックインしてトレーニングマシンを使用し、トレーニングすることが出来る。管理用パソコンにはエクセサイザの氏名、住所などを入力し、またエクセサイザを特定する為の生体を認識することが出来る生体認証装置を備えている。ところで、本発明は被介護者がトレーニングマシンを使ってトレーニングすることが出来るシステムであるが、トレーニングする場合に限らず施設に入所して出所するまでの時間及び経歴を管理することが出来るように構成している。
【００１０】
ここで、チェックインは既に記憶されている生体を確認する為の生体認証方式を採用し、生体認証装置にタッチすることで行なわれる。従って、生体認証装置によってエクセサイザの生体を読み取り、ホストサーバーに記憶さている生体との整合を行なう。そして、トレーニングマシンは施設内の所定の場所に配置され、エクセサイザはこれら各トレーニングマシンを使用してトレーニングを行なうが、個々のトレーニングマシンにはタッチパネル及び生体認証装置が備わっている。
【００１１】
チェックイン後に生体認証装置に指をタッチすることで契約したエクセサイザである旨が確認されて、トレーニングマシンが作動するように成っている。ところで、本発明では施設内に設けている各種トレーニングマシン、チェックインカウンターのタッチパネル、管理室のパソコンは施設外に設けている中央センターのホストサーバーと通信手段を介して接続されている。また、ホストサーバーの他に、中央センター又は該中央センターとは別の場所にはメンテナンスサーバーを設けており、各施設と通信手段によって接続されている。さらに、中央センターには介護請求用サーバーを設け、各施設に入所して介護を受けた場合、介護請求が一括して効率よく出来る介護請求用パソコンを通信手段を介して接続している。
【発明の効果】
【００１２】
本発明の介護用トレーニングシステムは実際にトレーニングマシンを設置している施設と、施設外部に設けている中央センターのホストサーバーとは通信手段を介して接続している。また、中央センター又はその他の場所にはメンテナンスサーバーが設けられ、このメンテナンスサーバーとも通信手段を介して施設と接続している。従って、中央センターのホストサーバー及びメンテナンスサーバーによって複数場所に設けた施設のトレーニングマシンを通信手段を介して制御することが出来、複数の施設を効率よく管理出来る。すなわち、入所した時から出所までの時間並びに経歴をホストサーバーにて効率よく管理することが出来る。
【００１３】
すなわち、各施設ごとに設置しているトレーニングマシンを使用してトレーニングするエクセサイザのトレーニング状態をホストサーバーにてコントロールすると共に、中央センターのホストサーバーによって入所から出所までの経歴を管理することが可能と成る。また、各施設のパソコン、トレーニングマシンのメンテナンスをメンテナンスサーバーによって管理したり、プログラムの更新が出来る。このように、本発明の介護用トレーニングシステムは、複数の施設を効率よく管理することが可能であり、介護保険の請求を効率よく行なうことが可能と成る。
【図面の簡単な説明】
【００１４】
【図１】本発明に係る介護用トレーニングシステムを表す全体図。
【図２】介護システムを組み合わせたトレーニングシステムを示す概略図。
【図３】トレーニングマシンの具体例。
【図４】トレーニングマシンの具体例。
【発明を実施するための形態】
【００１５】
図１は本発明の介護トレーニングシステムの概要を表している。この介護トレーニングシステムは、一般にフィットネスクラブ、スポーツクラブなどを対象とするが、特に老人ホームや介護施設を対象とし、リハビリを行なう病院なども含まれる。そして、これら各施設の内部には管理室、チェックインカウンター、トレーニングマシンが設けられ、管理室には管理用パソコン、チェックインカウンターにはタッチパネル及び生体認証装置を備え、各トレーニングマシンにもタッチパネル、生体認証装置が備わっている。
【００１６】
本発明の介護トレーニングシステムはトレーニングマシンが設置される施設の他に中央センターが設けられ、この中央センターは各施設外に設けられてホストサーバーを設置している。また、中央センターにはメンテナンスサーバーも設置されている。ただし、メンテナンスサーバーは中央センターとは別の場所に設けることもある。これらホストサーバー及びメンテナンスサーバーは各施設の管理室に設けているパソコン、チェックインカウンターのパソコンや生体認証装置、及びトレーニングマシンのパソコンや生体認証装置などと通信手段を介して接続している。ここで、通信手段の具体的な方法は特に限定しないが、一般にはインターネットを介した接続が行なわれる。
【００１７】
上記管理室は一般業務を行なう場所であり、ここには管理用のパソコンが設置されている。一般業務とは特に限定するものではないが、例えばトレーニングマシンを使用する為に入所することが出来る人の氏名、住所、年齢などの個人情報を入力・記録し、また、個人の生体認証を確認する為の指静脈を記録している。そして、本発明では特に介護施設を対象とし、その為に介護保険を利用することが出来るように介護保険授受の為の手続が行なわれ、介護請求用パソコンに個人データとして入力される。ただし、一般的なフットネスクラブやスポーツジムであっても被介護者が利用出来るように介護保険の手続を行なうことを制限するものではない。
【００１８】
チェックインカウンターにはパソコン、タッチパネル、及び生体認証装置が置かれている。そこで、入所者は生体認証装置に指を当るならば、入所可能な本人であることが確認される。すなわち、最初の入所時に入力・記憶した指静脈と一致するか否かを生体認証装置によって確認することが出来る。そして、チェックインしたならばトレーニングマシンを使用することが出来るが、個々のトレーニングマシンにも生体認証装置が備わっていて、指を当てて本人である旨の確認がとれたならばトレーニングマシンが作動することが出来るように成っている。
【００１９】
ここで、トレーニングマシンの生体認証装置に触れるならば、以前のトレーニング履歴に基づいて今日のトレーニングメニューが決められ、自動的に個々の人に適したメニューに基づいてトレーニングすることが出来るように該トレーニングマシンは作動することが出来る。すなわち、個々のトレーニングマシンにはコンピュータによって作動するコントローラが備わっていて、ホストサーバーからの指示を受けて個々のメニューに適した負荷を調整することが出来る。
【００２０】
ところで、本発明の介護トレーニングシステムは施設とは別に中央センターが設けられている。この中央センターと全国の所々に設けている施設（介護施設、ジム、フィットネスクラブ、病院など）とインターネットなどの通信手段を介して接続している。従って、施設の管理室に置かれているパソコンと中央センターに設置しているホストサーバーとは接続され、管理室パソコンに入力したデータはホストサーバーにも記録される。
【００２１】
従って、ホストサーバーから送信される信号は各施設の管理室パソコンへ受信され、該パソコンを自由にコントロールすることが出来る。また、チェックインカウンターの生体認証装置、タッチパネルもホストサーバーと通信手段を介して接続され、同じく各トレーニングマシンに備わっているコンピュータ、生体認証装置、タッチパネルもホストサーバーと通信手段を介して接続されている。
【００２２】
また、中央センターにはホストサーバーの他にメンテナンスサーバーが設けられ（ホストサーバーとメンテナンスサーバーを別々の場所に設ける場合もある）、各施設の管理室パソコン、チェックカウンターのパソコン、及びトレーニングマシンに取付けているパソコンと通信手段を介して繋がっている。従って、施設の状況は全て把握され、所定のトレーニングマシンの使用状況を中央センターで知ることが出来る。すなわち、どのトレーニングマシンが稼動しているか、また該トレーニングマシンを使っている人の名前も知ることが出来る。さらに、各施設のパソコンのプログラムを更新したり、メンテナンス状態、トラブルなどを把握して復帰することも出来るようにしている。
【００２３】
図１に示すように、ホストサーバーと施設の管理室パソコン、チェックカウンターのパソコン、及びトレーニングマシンとは実線で示すように通信手段を介して繋がっている。同じく、メンテナンスサーバーと施設の管理室パソコン、チェックカウンターのパソコン、及びトレーニングマシンとは点線で示すように通信手段を介して繋がっている。さらに、ホストサーバーとメンテナンスサーバーとも繋がっている。
【００２４】
図２は図１のメンテナンスサーバーを除いたトレーニングシステムに介護システムを組み合わせた場合を示している。同図の仕切りＡはメンテナンスサーバーを除いたトレーニングシステム、仕切りＢは介護システムを表している。同図の１はホストサーバー、２は管理用パソコン、３はチェックインカウンター、４はトレーニングマシンを夫々表している。そして、５は介護請求用サーバー、６は介護請求用パソコン、７はプリンタを示している。
【００２５】
上記介護システムは介護を受ける人が施設を訪れた場合、その人の介護度に応じて所定の自治体に請求することが出来るシステムであり、中央センターにはホストサーバーとは別に介護請求用サーバー５が設置されている。そして、各施設には介護請求用パソコン６が管理用パソコンとは別に設けられ、該介護用パソコン６は介護用サーバー５と通信手段を介して繋がっている。そこで、介護請求は各施設から介護請求用サーバー５に集まった中央センターにて行なわれる。
【００２６】
そして、各施設の管理室には管理用パソコン２の他に生体認証装置８が設けられ、指を当てることで指静脈を確認することが出来る。また、該生体認証装置８はチェックカウンター３及びトレーニングマシン４にも備わっている。チェックカウンター３にはタッチパネル９が載置され、同じくトレーニングマシン４の隣りにもタッチパネル９を設けている。
【００２７】
図３はトレーニングマシン４を示す具体例である。ベース１０には椅子１１が取付けられ、この椅子１１にエクセサイザ１２が座って脚１３を屈伸する運動を行うことが出来る。椅子１１には背凭れ１４が設けられ、該背凭れ１４は後方へ倒れて適度な角度に調整出来るようにしている。また、椅子１１の前方にはスライド部材１５がベース１０から起立して取付けられ、該スライド部材１５はベース１０に沿って設けたレール１６に沿ってスライドすることが出来る。
【００２８】
そして、ベース１０には２個のプーリ１７ａ，１７ｂが所定の距離を隔てて回転出来るように設けられ、両プーリ１７ａ，１７ｂにはベルト１８が巻き掛けられ、上記スライド部材１５の基部２０はベルト１８と連結している。椅子１１に座ったエクセサイザ１２が脚１３を伸ばすならばスライド部材１５はレース１６に沿って前方（左方向）へスライドすることが出来る。この場合、スライド部材１５のスライドに伴ってベルト１６は走行し、その結果、プーリ１７ａ，１７ｂは回転することが出来る。
【００２９】
一方のプーリ１７ｂはサーボモータ１９と連結しており、該サーボモータ１９の電圧を調整することでプーリ１７ｂの回転にブレーキが掛かり、プーリ１７ａ，１７ｂに巻き掛けられているベルト１８の走行に抵抗を与え、スライド部材１５がスライドする抵抗を調整することが出来る。脚１３を伸ばしてスライド部材１５が前方へスライドした後はサーボモータ１９が逆回転することで元の位置へ戻されるが、このように、ある抵抗を与えて脚１３の屈伸運動を行うことが出来る。
【００３０】
施設には各種のトレーニングマシン４，４・・・が設置されており、施設を訪れた人は好きなトレーニングマシン４を選択して使用することが出来る。ところで、トレーニングマシン４を使って運動する際に、図２に示すように生体認証装置８に指を当てて指静脈にてエクセサイザ１２を特定している。従って、エクセサイザ１２が過去に行なってきた運動履歴はホストサーバー１に記録されていて、この記録に基づいて次のメニーを自動的に決めることが可能である。
【００３１】
勿論、本発明ではコンピュータが指示するメニーに基づいてトレーニングすることは出来るが、このメニーに拘束されることなくエクセサイザの意志に基づいてトレーニングすることは自由である。そして、トレーニングの状況は上記中央センターのホストサーバー１に送信されて記録される。
【００３２】
図４は他のトレーニンマシン４を示している。このトレーニングマシン４は両腕の筋力を鍛えることが出来るように、椅子２４に座ったエクセサイザ１２は両手でハンドル２１ａ，２１ｂを握って手前に引くことが出来る。すなわち、ハンドル２１ａ，２１ｂを引くならばアーム２２が揺動してサーボモータ２３が抵抗をもって回転することが出来る。従って、サーボモータ２３の電圧をコントロールすることで、ハンドル２１ａ，２１ｂを引く力を調節できる。
【００３３】
各施設には前記図３、図４に示す以外のトレーニングマシンが設置され、被介護者でもあるエクセサイザ１２は自由に使うことが出来、しかも、これらのトレーニングマシンの使用状況は勿論のこと、入所から出所までの全ての経歴をホストサーバーにて全て管理され、一括して介護保険の請求を可能としている。そして、介護施設のみならず、一般的なフットネスクラブやスポーツジムであっても、被介護者が利用することで介護保険の請求が可能なようにしている。
【符号の説明】
【００３４】
１  ホストサーバー
２  管理用パソコン
３  チェックインカウンター
４  トレーニングマシン
５  介護請求用サーバー
６  介護請求用パソコン
７  プリンタ
８  生体認証装置
９  タッチパネル
10  ベース
11  椅子
12  エクセサイザ
13  脚
14  背凭れ
15  スライド部材
16  レール
17  プーリ
18  ベルト
19  サーボモータ
20  基部
21  ハンドル
22  アーム
23  サーボモータ
24  椅子
【図１】
2012105906.tif 000003
【図２】
2012105906.tif 000004
【図３】
2012105906.tif 000005
【図４】
2012105906.tif 000006